(57)【要約】【課題】遊んでいるときには、自動的に注意を促し得る遊具を提供する。【解決手段】支持体４に吊り具５を介して遊動体６が設けられ、遊動体６に、遊動により注意を促す注意発生手段１０を設けた。遊動体に座るか立った状態で、この遊動体を揺らす（遊動させる）ことで、自動的に遊具で遊んでいるとの注意を促すことができる。歩いてきた子供（大人）は、歩くこと（近づくこと）を止めたり、遠回りして（避けて）歩くことによって、遊動体の接触、衝突を防止でき、以て事故の発生を減少できる。【選択図】図１
2007014434.tif 000002
【特許請求の範囲】
【請求項１】
支持体に吊り具を介して遊動体が設けられ、この遊動体に、遊動により注意を促す注意発生手段が設けられていることを特徴とする遊具。
【請求項２】
注意発生手段が、遊動により生じる風を利用して音を発生する音発生部を有することを特徴とする請求項１記載の遊具。
【請求項３】
注意発生手段が、遊動により生じる風を利用した発電部と、その電力を利用した発光部とからなることを特徴とする請求項１記載の遊具。
【発明の詳細な説明】
【技術分野】
【０００１】
本発明は、たとえば児童公園や遊園地に設置されるブランコなどの遊具に関するものである。
【背景技術】
【０００２】
従来、たとえばブランコとしては、一対の脚部間に渡された梁部材に、一対の鎖を介して座面が懸下され、この座面に座るか立った状態で、座面を揺らすことで遊んでいる（たとえば、特許文献１参照。）。
【特許文献１】特開平８−７０９６５号公報（第２頁、図１−２）
【発明の開示】
【発明が解決しようとする課題】
【０００３】
しかし、上記した従来構成によると、座面に座るか立った状態で、座面を揺らしているときに、近づいてきた子供に座面が接触、衝突して事故が発生する恐れがある。
そこで本発明の請求項１記載の発明は、遊んでいるときには、自動的に注意を促し得る遊具を提供することを目的としたものである。
【課題を解決するための手段】
【０００４】
前述した目的を達成するために、本発明の請求項１記載の遊具は、支持体に吊り具を介して遊動体が設けられ、この遊動体に、遊動により注意を促す注意発生手段が設けられていることを特徴としたものである。
【０００５】
したがって請求項１の発明によると、遊動体に座るか立った状態で、この遊動体を揺らす（遊動させる）ことで、自動的に遊具で遊んでいるとの注意を促すことになる。
また本発明の請求項２記載の遊具は、上記した請求項１記載の構成において、注意発生手段が、遊動により生じる風を利用して音を発生する音発生部を有することを特徴としたものである。
【０００６】
したがって請求項２の発明によると、遊動体を揺らす（遊動させる）ことで、音発生部に風が流れることになり、以て音発生部で自動的に音を発生して、遊具で遊んでいるとの注意を促すことになる。
【０００７】
そして本発明の請求項３記載の遊具は、上記した請求項１記載の構成において、注意発生手段が、遊動により生じる風を利用した発電部と、その電力を利用した発光部とからなることを特徴としたものである。
【０００８】
したがって請求項３の発明によると、遊動体を揺らす（遊動させる）ことで、発電部に風が流れることになり、以て発電部で発電し、発光部に給電して自動的に発光することになって、遊具で遊んでいるとの注意を促すことになる。
【発明の効果】
【０００９】
上記した本発明の請求項１によると、遊動体に座るか立った状態で、この遊動体を揺らす（遊動させる）ことで、自動的に遊具で遊んでいるとの注意を促すことができる。したがって歩いてきた子供（大人）は、歩くこと（近づくこと）を止めたり、遠回りして（避けて）歩くことによって、遊動体の接触、衝突を防止でき、以て事故の発生を減少できる。
【００１０】
また上記した本発明の請求項２によると、遊動体を揺らす（遊動させる）ことで、音発生部に風が流れることになり、以て音発生部で自動的に音を発生して、遊具で遊んでいるとの注意を促すことができる。したがって歩いてきた子供（大人）は、音を聞くことによって、歩くこと（近づくこと）を止めたり、遠回りして（避けて）歩くことによって、遊動体の接触、衝突を防止でき、以て事故の発生を減少できる。
【００１１】
そして上記した本発明の請求項３によると、遊動体を揺らす（遊動させる）ことで、発電部に風が流れることになり、以て発電部で発電し、発光部に給電して自動的に発光することになって、遊具で遊んでいるとの注意を促すことができる。したがって歩いてきた子供（大人）は、光を見ることによって、歩くこと（近づくこと）を止めたり、遠回りして（避けて）歩くことによって、遊動体の接触、衝突を防止でき、以て事故の発生を減少できる。
【発明を実施するための最良の形態】
【００１２】
［実施の形態１］
以下に、本発明の実施の形態１を、ブランコに採用した状態として図１〜図５に基づいて説明する。
【００１３】
ブランコ（遊具の一例）１は、逆Ｖ状の一対の脚部２と、両脚部２の上端間に設けられたロッド状の梁部３とにより支持体４が構成され、前記梁部３に一対の鎖（吊り具の一例）５を介して平面矩形状の座板（遊動体の一例）６が、揺れ（遊動）自在に設けられている。そして座板６に、揺れ（遊動）により注意を発生する注意発生手段１０が設けられている。この注意発生手段１０は、揺れ（遊動）により生じる風を利用して音を発生する音発生部１１を有し、座板６の両側部にそれぞれ設けられている。
【００１４】
すなわち注意発生手段１０は、小径筒部材１２の内部に風調整部材１３が設けられて形成された音発生部１１と、小径筒部材１２の両端に小径部が接続されたラッパ状の風導入部材１４とにより構成されている。そして注意発生手段１０は、その筒軸心を揺れ方向（遊動方向）Ａに沿わせて座板６の両側部に当て付けた状態で、小径筒部材１２に外嵌状の取り付け金具１５を連結具（ねじ、ボルト・ナットなど）１６により座板６に連結することで、座板６側に連結される。
【００１５】
以下に、上記した実施の形態１における作用を説明する。
座板６に座るか立った状態で、この座板６を前後に揺らす（遊動させる）ことで、いずれかの風導入部材１４から導入した空気が、ラッパ状面１４ａによって絞り状となって小径筒部材１２内を風となって流れることになり、以て風調整部材１３の作用によって音発生部１１で自動的に音を発生して、ブランコ１で遊んでいるとの注意を促すことになる。その際に、大きく揺らすほど、すなわち高速で揺らすほど、大きな音を発生することになる。したがって歩いてきた子供（大人）は、音を聞くことによって、歩くこと（近づくこと）を止めたり、遠回りして（避けて）歩くことによって、座板６の接触、衝突を防止し得、以て事故の発生を減少し得る。
［実施の形態２］
次に、本発明の実施の形態２を、図６、図７に基づいて説明する。
【００１６】
この実施の形態２において、揺れ（遊動）により注意を発生する注意発生手段２０は、揺れ（遊動）により生じる風を利用した発電部２１と、その電力を利用した発光部３０とから構成されている。すなわち発電部２１は、小径筒部材２２と、この小径筒部材２２の両端に小径部が接続されたラッパ状の風導入部材２３と、前記小径筒部材２２の中心部分に位置され連結部材２４を介して小径筒部材２２に連結された発電機２５と、この発電機２５から両風導入部材２３内に突出された回転軸２６と、この回転軸２６の両端に取り付けられて風導入部材２３内に位置されるプロペラ２７などにより構成されている。
【００１７】
そして、発電部２１には大径筒部材２８が外嵌されるとともに連結部材２９を介して連結されている。前記大径筒部材２８の両端と風導入部材２３の外端との間の環状の隙間部分に多数の発光部（電球など）３０が配設されるとともに、これら発光部３０は配線３１を介して発電機２５に接続されている。このように構成された注意発生手段２０は、その筒軸心を揺れ方向（遊動方向）Ａに沿わせて座板６の両側部に当て付けた状態で、大径筒部材２８に形成された段部２８Ａに外嵌状の取り付け金具３２を溶接３３により座板６に結合することで、座板６側に固定される。
【００１８】
以下に、上記した実施の形態２における作用を説明する。
座板６に座るか立った状態で、この座板６を前後に揺らす（遊動させる）ことで、いずれかの風導入部材２３から導入した空気が、ラッパ状面２３ａの案内で絞り状となり、風となって流れることになり、以てプロペラ２７を介して回転軸２６を回転させて発電機２５において発電する。これによって発光部３０に給電して自動的に発光することになって、ブランコ１で遊んでいるとの注意を促すことになる。その際に、大きく揺らすほど、すなわち高速で揺らすほど、大きな発電、すなわち強い発光を行うことになる。したがって歩いてきた子供（大人）は、光を見ることによって、歩くこと（近づくこと）を止めたり、遠回りして（避けて）歩くことによって、座板６の接触、衝突を防止し得、以て事故の発生を減少し得る。なお、発光部３０は適宜に着色発光とし得る。
［実施の形態３］
次に、本発明の実施の形態３を、図８に基づいて説明する。
【００１９】
この実施の形態３において、揺れ（遊動）により注意を発生する注意発生手段４０は、揺れ（遊動）により音を発生するもので、座板６の両側部にそれぞれ設けられている。すなわち注意発生手段４０は、筒部材４１の両端に板状部材４２が設けられ、そして筒部材４１の中央部分には、吊り体（ワイヤーや鎖や紐など）４３により錘４４が吊り下げられている。そして注意発生手段４０は、その筒軸心を揺れ方向（遊動方向）Ａに沿わせて座板６の両側部に当て付けた状態で、筒部材４１を溶接により座板６に連結することで、座板６側に固定される。
【００２０】
以下に、上記した実施の形態３における作用を説明する。
座板６に座るか立った状態で、この座板６を前後に揺らす（遊動させる）ことで、図８の（ａ）に示すように板状部材４２間に位置していた錘４４に、図８の（ｂ）に示すように、いずれかの板状部材４２が衝突することになり、以て衝突音を自動的に発生して、ブランコ１で遊んでいるとの注意を促すことになる。その際に、大きく揺らすほど、すなわち高速で揺らすほど、大きな衝突音を発生することになる。したがって歩いてきた子供（大人）は、音を聞くことによって、歩くこと（近づくこと）を止めたり、遠回りして（避けて）歩くことによって、座板６の接触、衝突を防止し得、以て事故の発生を減少し得る。
【００２１】
上記した実施の形態では、遊具として１人用のブランコ１が示されているが、これは複数人用の丸太ブランコなど、他の遊動型の遊具であってもよい。なお丸太ブランコの場合、注意発生手段１０，２０，４０は、長さ方向の両端の下面側や、筒状丸太の両端の内部に設けられる。
【００２２】
上記した実施の形態では、注意発生手段１０，２０，４０を座板６の両側部にそれぞれ設けた形式としているが、これは一側部にのみ設けた形式、座板６の下面側に設けた形式、座板６の内部に設けた形式などであってもよい。
【００２３】
上記した実施の形態では、注意発生手段１０，２０，４０を個別に設けた形式としているが、これは、音発生部１１を有する注意発生手段１０と、発電部２１や発電機２５などからなる注意発生手段２０との両方を組み合わせた形式、音を発生する注意発生手段４０と、発電部２１や発電機２５などからなる注意発生手段２０との両方を組み合わせた形式
などであってもよい。
【００２４】
上記した実施の形態では、座板６に対する注意発生手段１０の取り付けを連結具１６により行い、座板６に対する注意発生手段２０，４０の取り付けを溶接３３により行っているが、その取り付け形式は任意に選択されるものである。また注意発生手段１０，２０，４０は、既存の座板６に容易に取り付け得るものである。
【００２５】
上記した実施の形態において、注意発生手段１０，２０，４０の筒部材や風導入部材としては、金属や樹脂などにより製作され、材質に応じて好適な取り付け形式が採用される。なお実施の形態１において、風導入部材１４などを、弾性復元力のある可撓性材料により製作したときには、たとえば座板６に乗り込もうとする子供が接触したときに、撓んで緩衝し得る。
【００２６】
上記した実施の形態では、吊り具として鎖５が示されているが、これはワイヤーや綱などであってもよい。
【図面の簡単な説明】
【００２７】
【図１】本発明の実施の形態１を示し、遊具の正面図である。
【図２】同遊具の側面図である。
【図３】同遊具における要部の斜視図である。
【図４】同遊具における注意発生装置の取り付け部の正面図である。
【図５】同遊具における注意発生装置の取り付け部の一部切り欠き平面図である。
【図６】本発明の実施の形態２を示し、遊具における注意発生装置の取り付け部の正面図である。
【図７】同遊具における注意発生装置の取り付け部の一部切り欠き平面図である。
【図８】本発明の実施の形態３を示し、遊具における注意発生装置の取り付け部で、（ａ）は遊動前の一部切り欠き側面図、（ｂ）は遊動時の一部切り欠き側面図である。
【符号の説明】
【００２８】
１      ブランコ（遊具）
２      脚部
３      梁部
４      支持体
５      鎖（吊り具）
６      座板（遊動体）
１０    注意発生手段
１１    音発生部
１２    小径筒部材
１３    風調整部材
１４    風導入部材
１４ａ  ラッパ状面
２０    注意発生手段
２１    発電部
２３    風導入部材
２３ａ  ラッパ状面
２５    発電機
２６    回転軸
２７    プロペラ
３０    発光部
３１    配線
４０    注意発生手段
４１    筒部材
４２    板状部材
４４    錘
Ａ      揺れ方向（遊動方向）
【図１】
2007014434.tif 000003
【図２】
2007014434.tif 000004
【図３】
2007014434.tif 000005
【図４】
2007014434.tif 000006
【図５】
2007014434.tif 000007
【図６】
2007014434.tif 000008
【図７】
2007014434.tif 000009
【図８】
2007014434.tif 000010